(57)【要約】【課題】逆Ｌ型の防音壁を構成する防音パネルの構造を改良することにより、上方に回折する騒音を低減する効果を有する防音壁する。【解決手段】立設された縦壁部２の上端から音源側に向って庇部３を水平方向に張り出し、前記庇部３を直方体状の中空体１内に吸音材４を内装すると共に、その音源側下面５と先端面６とに多数の孔５１、６１を開口しているため、車道或いは軌道側に向いた庇部３の音源側下面５に開口させた孔５１から入射する騒音を吸音すると共に、庇部３の先端面６に開口させた孔６１から入射する騒音の回折音を吸音することができ、大掛かりな工事や特別な構造変更を必要とせず、比較的製作容易な構造で、回折する騒音を低減することができる。【選択図】        図２
2008111307.tif 000002
【特許請求の範囲】
【請求項１】
立設された縦壁部の上端から音源側に向って庇部が水平方向に張り出され、前記庇部は直方体状の中空体内に吸音材が内装されると共に、その音源側下面と先端面とに多数の孔が開口されていることを特徴とする防音壁。
【発明の詳細な説明】
【技術分野】
【０００１】
本発明は、主として騒音の発生源が通行する道路や鉄道の側縁近傍に設けられている防音壁に関するものである。
【背景技術】
【０００２】
従来、道路や鉄道の側縁近傍に設置された防音壁については、種々の構造のものが開示されており、例えば特許文献１には、車窓から視界を妨げない高さの逆Ｌ型の下部防音壁と、該下部防音壁の上部に車窓からの視界を確保できる間隔を開けて設置される上部防音壁とから構成される防音壁であって、逆Ｌ型の下部防音壁の内面に吸音材を備えると共に、上部防音壁の外面に吸音材を備えたものが開示されている。
【０００３】
【特許文献１】特開平７−３０５３１０号公報
【発明の開示】
【発明が解決しようとする課題】
【０００４】
しかしながら、特許文献１に記載の防音壁は、下部防音壁の内面に備えられた吸音材によって、車輪近傍から発生する騒音を吸音すると共に、騒音の回折現象により、上方に回り込む騒音については、上部防音壁の外面に備えられた吸音材で吸音しようとするものであるが、この防音壁は下部防音壁を施行したうえに上部防音壁を設置する構成となっているため、その設置に際して大掛かりな工事が伴い、また車窓の視界を妨げないよう間隔を開けているとは言え、上部防音壁の存在は車両及び鉄道利用者の視界を妨げてしまう点は否定できないものである。
【０００５】
本発明は上記の如き課題を解決するためになされたものであり、逆Ｌ型の防音壁を構成する防音パネルの構造を改良することにより、上方に回折する騒音を低減する効果を有する防音壁を提供せんとするものである。
【課題を解決するための手段】
【０００６】
上記目的を達成するため、本発明は以下のような構成としている。すなわち、本発明に係る防音壁は、立設された縦壁部の上端から音源側に向って庇部が水平方向に張り出され、前記庇部は直方体状の中空体内に吸音材が内装されると共に、その音源側下面と先端面とに多数の孔が開口されていることを特徴とするものである。
【発明の効果】
【０００７】
本発明に係る防音壁によれば、立設された縦壁部の上端から音源側に向って庇部を水平方向に張り出し、前記庇部を直方体状の中空体内に吸音材を内装すると共に、その音源側下面と先端面とに多数の孔を開口させているため、車道或いは軌道側に向いた庇部の音源側下面に開口させた孔から入射する騒音を吸音すると共に、庇部の先端面に開口させた孔から入射する騒音の回折音を吸音することができ、大掛かりな工事や特別な構造変更を必要とせず、比較的製作容易な構造で、回折する騒音を低減することができる。
【発明を実施するための最良の形態】
【０００８】
本発明に係る最良の実施の形態について、図面に基づき以下に具体的に説明する。
図１は本発明に係る防音壁の実施の一形態を示す説明図、図２は本発明に係る防音壁を構成する庇部の一形態を示す斜視図、図３は本発明に係る防音壁を構成する庇部の断面図である。
【０００９】
Ｐは本発明に係る防音壁であって、１は該防音壁を構成する直方体状の防音パネルである。図１に示すように、防音パネル１が３段に積み上げられた縦壁部２の上端から音源Ｎ側に向って１個の庇部３が張り出され、防音壁Ｐが形成されている。
【００１０】
前記庇部３は、その上面３１と下面３２とが音源Ｎ側に向って水平に突出された直方体状の中空体内に吸音材４が内装されたものであって、庇部３の音源側の下面３２と先端面３３とに多数の孔３４、３５がほぼ全面に開口され、且つ上面３１は全く開口されず形成されている。そして、下面３２にブラインドリベットＢにより固定されたスペーサー５によって、吸音材４は下面３２の内面と間隔をおいて位置するようになされ、更に吸音材４は上面３１の内面と間隔をおいて位置しており、空気層６が形成されている。
【００１１】
庇部３の音源側の下面３２と先端面３３とに形成された多数の孔３４、３５より庇部３内に入射した騒音が吸音材４により吸音されると共に、庇部３の上面３１により遮音され、さらに上面８の内面で反射した騒音は空気層６内で乱反射を繰り返し、それが吸音材４により吸音されると共に互いに干渉する等して減衰されるようになされている。また、上面３１は無開口なので、雨水や太陽光等が内部に浸入し難い等、吸音材４の劣化を防止するようになされている。
【００１２】
また本実施形態においては、庇部３の外寸は高さ（厚み）１００ｍｍ、幅２０００ｍｍ、奥行き５００ｍｍとなされ、吸音材４の厚み寸法は５０ｍｍとなされ、さらに空気層６の寸法は２５ｍｍとなされている。
【００１３】
前記下面３２と先端面３３は、一般にはアルミニウム合金板、鉄板、ステンレス板から形成され、適宜それらの表面に耐食性を向上させるための塗装等が施されるが、特に限定されるものではない。そしてこの下面３２と先端面３３に形成された孔３４、３５はパンチング孔状であってもよいし、スリット孔状であってもよく、特にその孔の形状は限定されるものではない。尚、孔３４、３５によって開口された下面３２と先端面３３の開口率は、１５〜５０％とするのが好ましく、あまり大きくするとこの下面３２と先端面３３より庇部３内に入射した太陽光や、浸入した雨水等により、吸音材４が劣化しやすくなる。前記下面３２と先端面３３の板厚は、孔３４、３５を形成することから、加工の容易な０．６〜２．０ｍｍ程度とするのが好ましい。
【００１４】
上面３１の材質については、騒音が上面３１から外部に透過しないように、要求する透過損失を満足できるような厚み、例えば１．２〜２．０ｍｍ程度の下面３２と先端面３３で例示したような金属板を使用するのが好ましい。そして上面３１と吸音材４との間には、２５ｍｍの空気層６が設けられている。この空気層６によって、低周波域の騒音は効果的に低減される。
【００１５】
吸音材４は一般に用いられるグラスウールやロックウール或いは有機系プラスチック繊維材等から適宜選択して用いれば良いが、リサイクル性の高い有機系プラスチック繊維材が好適に用いられ、ポリエステル繊維、ポリエチレン繊維、ポリプロピレン繊維等が適宜使用され、又これらが適宜組み合わされて使用される。なお有機系プラスチック繊維材は、出来るだけ微細な繊維径のものを使用すれば、高弾力性のものが得られると共にその吸音材内に微細な空気層が形成されるため、吸音性能が向上する。
【００１６】
なお、雨水等に接触して吸音材４が劣化するのを防止するために、吸音材４を防水性や耐久性に優れたポリフッ化ビニールフィルムや四フッ化フロロエチレンフィルム等の保護フィルムにより包んで中空体内に内装してもよいが、保護フィルムで包むと、その保護フィルムで高周波域の騒音が反射し、高周波域の吸音率が低下することがあるため、騒音の伝播を阻止し難くいガラスクロスや不織布を用いて吸音材４を保護するのが好ましい。
【００１７】
更に、前記の如く下面３２と先端面３３の開口率を１５〜５０％と低し、また庇部３の上面３１を無開口にすることにより、庇部３内への太陽光の入射や雨水の浸入等を構造的に防止するのに加えて、撥水剤を塗布したり練り込んだりしたガラス繊維や合成樹脂繊維を織り製作したガラスクロスや不織布を用いて吸音材４を包むことにより、吸音性能を低下させることなく吸音材４の劣化を防止するようになすのが好ましい。
【００１８】
次に、この防音壁Ｐの騒音低減効果を、複雑な音場に関して、音源、構造物の境界(例えば壁の表面)及び受音点の関係を表すHelmholtz-Huygens積分方程式を離散的に解くことで、解析的に音場を予測する手法である境界要素法を用いてシミュレーションした。音源を地面上の所定の位置とし、その音源から３．３ｍ離れた位置に、防音パネル１を３段に立設し、その上端から音源側に向って１個の庇部３を張り出して、防音壁Ｐを形成する条件でシミュレーションした結果、庇部３がない場合に比べ、最大１．９ｄＢの騒音低減効果を得る結果が見られた。
【産業上の利用可能性】
【００１９】
本発明に係る防音壁は、立設された縦壁部の上端から音源側に向って庇部を水平方向に張り出し、前記庇部を直方体状の中空体内に吸音材を内装すると共に、その音源側下面と先端面とに多数の孔を開口させているため、車道或いは軌道側に向いた庇部の音源側下面に開口させた孔から入射する騒音を吸音すると共に、庇部の先端面に開口させた孔から入射する騒音の回折音を吸音することができ、回折する騒音を低減することができる防音壁として好適に用いることができる。
【図面の簡単な説明】
【００２０】
【図１】本発明に係る防音壁の実施の一形態を示す説明図である。
【図２】本発明に係る防音壁を構成する庇部の一形態を示す斜視図である。
【図３】本発明に係る防音壁を構成する庇部の断面図である。
【符号の説明】
【００２１】
Ｐ    防音壁
１    防音パネル
２    縦壁部
３    庇部
３１  上面
３２  下面
３３  先端面
３４  孔
３５  孔
４    吸音材
５    スペーサー
６    空気層
【図１】
2008111307.tif 000003
【図２】
2008111307.tif 000004
【図３】
2008111307.tif 000005